(57)【要約】  【課題】  デジタル方式の無線機において受信電界強度が低下した場合の受信音声音質劣化に対する制御が可能となり、耳障りな音を聞かなくすることができると同時に、従来のアナログの無線機と同様な操作性を実現できる。  【解決手段】  送信音声をデジタル信号に変換した後、音声符号化処理、誤り訂正符号化処理、チャネル符号化処理を行って送信し、受信したデジタル信号を、チャネル復号化処理した受信データを誤り訂正復号化し、音声復号化を行った後アナログ信号に変換し、受信音声として出力するとともに、前記誤り訂正復号化の際に検出するデータ誤り率に応じて前記受信音声の出力を制御する無線機において、前記データ誤り率のしきい値を無線機の操作部より調整可能な設定手段（２３，１，３６，２０）を備えたことを特徴とする。【選択図】図１
2006100891.tif 000002
【特許請求の範囲】
【請求項１】
送信音声をデジタル信号に変換した後、音声符号化処理、誤り訂正符号化処理、チャネル符号化処理を行って送信し、受信したデジタル信号を、チャネル復号化処理した受信データを誤り訂正復号化し、音声復号化を行った後アナログ信号に変換し、受信音声として出力するとともに、前記誤り訂正復号化の際に検出するデータ誤り率に応じて前記受信音声の出力を制御する無線機において、前記データ誤り率のしきい値を無線機の操作部より調整可能な設定手段を備えたことを特徴とする無線機。
【発明の詳細な説明】
【技術分野】
【０００１】
本発明は、音声をデジタル信号に変換して送受信するデジタル方式の無線機に関するものである。
【背景技術】
【０００２】
従来の無線機の構成を図２により説明する（文献公知発明に係るものではない）。図２において、１は無線機全体の制御を行うマイクロコンピュータ等で構成する制御部、２は無線機の操作部で、マイク、レシーバ、ＰＴＴスイッチおよび表示器を持つ。３は受信音声を出力するレシーバまたはスピーカ、４は送信音声を入力するマイク、５はマイクアンプ、６はレシーバアンプ、７はＰＴＴスイッチ、８は無線機の状態表示を行う表示器である。
【０００３】
また、９はマイク４から入力するアナログの送信音声信号をデジタル信号に変換するＡＤ変換部、１０はデジタルの受信音声信号をアナログの音声信号に変換するＤＡ変換部である。１１はＡＤ変換部９から入力するデジタルの送信音声信号に音声符号化を行う音声符号化部、１２は誤り訂正符号化部、１３は受信した音声信号に音声復号化を行う音声復号化部、１４は誤り訂正復号化部である。
【０００４】
また、１５は誤り訂正符号化処理部１２で符号化された音声データと、制御部１から送られる各種の制御データとにより構成する送信データに対して誤り検出・訂正能力を付加するチャネル符号化処理を行い送信信号を生成するチャネル符号化部である。１６はチャネル符号化処理された受信データを復号化するチャネル復号化部である。
【０００５】
また、１７はチャネル符号化部１５から送られる送信信号を変調する変調部、１８は受信信号の復調部、１９は送受信部である。
【０００６】
本方式の無線機では送信音声をＡＤ変換部９、音声符号化部１１によりデジタル信号（データ）に変換した後、誤り訂正符号化とチャネル符号化して変調して送信する。受信側無線機では受信したデジタル信号を復調した後チャネル復号化し、誤り訂正復号化部１４、音声復号化部１３、ＤＡ変換部１０によりアナログ信号に変換してレシーバまたはスピーカ３から出力する。
【０００７】
この場合、受信側無線機が送信側無線機の発する電波の到達範囲内におり十分な電界強度で受信する場合は、受信側無線機の復調部１８から出力するデータは送信側無線機の変調部１７に入力したデータと同じものが誤り無く出力される。
【０００８】
一方受信側無線機が送信側無線機の発する電波の到達範囲限界地点付近に移動して、受信電界強度が低下してくると、受信側無線機の復調部１８から出力するデータには誤りが発生する。データの誤り率を通常ＢＥＲ（Ｂｉｔ  Ｅｒｒｏｒ  Ｒａｔｅ）と呼ぶが、ＢＥＲが増加するに従って受信音声の音質や明瞭度が低下し、ついには耳障りな音としてスピーカから出力される。
【０００９】
表１に従来の無線機のＢＥＲと受信音声明瞭度の評価結果の一例を示す。
【００１０】
【表１】
2006100891.tif 000003
【００１１】
明瞭度は５段階評価で、数値が大きいほど良好である。明瞭度１では話の内容を聞き取るのが困難となり、明瞭度０では音声と言うよりも、耳障りな音として聞こえる。
【００１２】
従来は、上記のように受信電界強度が低下しても受信音声を出力し続ける方法と、図３に示すように、誤り訂正復号化部の後にスイッチ機能を設け、誤り訂正復号化において検出したＢＥＲが或るレベル以上になると、音声復号化部のデータ出力を停止する方法がある。
【００１３】
図３において、２０は音声符号化部１３の出力に設けたスイッチ、２１は誤り訂正復号化により検出したＢＥＲに応じてスイッチ２０をオン／オフする機能を持つ誤り訂正復号化部である。２２はスイッチ２０の制御信号である。スイッチ２０をオン／オフするＢＥＲのしきい値は一般に固定値である。
【００１４】
同様な技術として、ＢＥＲ(エラー率)に応じて受信データを廃棄するか出力Ｉ／Ｆに送る技術が、特許文献１に開示されている。
【００１５】
一方従来のアナログ方式の無線機では受信電界強度が低下した場合に受信側無線機の復調出力のノイズレベルが増加する。一般にこのノイズレベルを検出するノイズスケルチという回路が搭載されており、ノイズレベルの大小により受信音声出力を制御している。
【００１６】
図４に従来のアナログ方式の無線機でのノイズスケルチの例を示す（文献公知発明に係るものではない）。復調部１８の出力は送信側無線機と受信側無線機の距離が離れ、受信電界強度が低下するに従ってノイズレベルが増加する。３２はこのノイズレベルを検出するノイズスケルチ回路である。
【００１７】
ノイズスケルチ回路３２はノイズレベルが一定レベルを超えるとその出力をオンして無線機の制御部３３に通知する。無線機の制御部３３はこれにより受信音声ミュートスイッチ２０をオフする。
【００１８】
受信音声をミュートするノイズレベルは通常無線機の操作パネルに設けたスケルチボリューム３５により調整が可能である。アナログ方式の無線機では以上説明した動作により、受信電界強度がどこまで低下した時に受信音声出力をオフするかを調整可能である。これにより受信電界強度が低下した際の耳障りな音を聞かなくすることができる。
【００１９】
【特許文献１】特開２００２−３２５０７４号公報
【発明の開示】
【発明が解決しようとする課題】
【００２０】
以上説明したように従来のデジタル無線機の技術においては、受信電界強度が低下し受信音声品質が劣化した場合の受信音声出力の制御が十分に行われていないという課題がある。
【００２１】
本発明の目的は、デジタル方式の無線機において受信電界強度が低下した場合の受信音声音質劣化に対する制御が可能となり、耳障りな音を聞かなくすることができると同時に、従来のアナログの無線機と同様な操作性を実現できる無線機を提供することにある。
【課題を解決するための手段】
【００２２】
本発明は、送信音声をデジタル信号に変換した後、音声符号化処理、誤り訂正符号化処理、チャネル符号化処理を行って送信し、受信したデジタル信号を、チャネル復号化処理した受信データを誤り訂正復号化し、音声復号化を行った後アナログ信号に変換し、受信音声として出力するとともに、前記誤り訂正復号化の際に検出するデータ誤り率に応じて前記受信音声の出力を制御する無線機において、前記データ誤り率のしきい値を無線機の操作部より調整可能な設定手段を備えたことを特徴とする。
【発明の効果】
【００２３】
本発明によれば、デジタル方式の無線機において受信電界強度が低下した場合の受信音声音質劣化に対する制御が可能となり、耳障りな音を聞かなくすることができると同時に、従来のアナログの無線機と同様な操作性を実現できる無線機を得ることができる。
【発明を実施するための最良の形態】
【００２４】
本発明に係る実施の形態について、図１を用いて詳述する。
【００２５】
図１において、１は無線機全体の制御を行うマイクロコンピュータ等で構成する制御部、２は無線機の操作部で、マイク、レシーバ、ＰＴＴスイッチおよび表示器を持つ。また従来の表示器に対してボリュームスイッチ３６が追加されている。３は受信音声を出力するレシーバまたはスピーカ、４は送信音声を入力するマイク、５はマイクアンプ、６はレシーバアンプ、７はＰＴＴスイッチ、８は無線機の状態表示を行う表示器である。
【００２６】
また、９はマイク４から入力するアナログの送信音声信号をデジタル信号に変換するＡＤ変換部、１０はデジタルの受信音声信号をアナログの音声信号に変換するＤＡ変換部である。１１はＡＤ変換部９から入力するデジタルの送信音声信号に音声符号化を行う音声符号化部、１２は誤り訂正符号化部、１３は受信した音声信号に音声復号化を行う音声復号化部である。
【００２７】
また、１５は音声符号化処理部１１で符号化された音声データと、制御部１から送られる各種の制御データとにより構成する送信データに対して誤り検出・訂正能力を付加するチャネル符号化処理を行い送信フレームを生成するチャネル符号化部である。１６はチャネル符号化処理された受信データを復号化するチャネル復号化部である。
【００２８】
また、１７はチャネル符号化部１０から送られる送信信号を変調する変調部、１８は受信信号の復調部、１９は送受信部である。
【００２９】
また、２３は誤り訂正復号化により検出したＢＥＲを出力する機能を持つ誤り訂正復号化部、２４は誤り訂正復号化部２３が検出したＢＥＲデータであり無線機の制御部１に接続する。２０は音声復号化部１３の出力をオン／オフする受信音声ミュートスイッチ、２５は制御部１が出力する受信音声ミュートスイッチ２０の制御信号、３６はボリュームスイッチである。
【００３０】
ここで、検出したＢＥＲを外部に出力可能な誤り訂正復号化部２３については既に実用化（市販）されているものがある。本実施の形態ではそのＢＥＲ出力を制御部１で読み込み、誤り率がしきい値を超えた場合に制御部１よりスイッチ２０をオフするものである。
【００３１】
また、スイッチ２０をＯＮ／ＯＦＦするＢＥＲのしきい値については無線機の操作部２に設けたボリュームスイッチ３６の設定位置により増減が調整可能である。
【００３２】
しきい値の設定を高くすれば、受信音声が劣化する前に受信音声出力をオフすることができる。またしきい値の設定を低くすれば受信音声が劣化し聞き取り可能な限界レベルまで受信音声を出力することが可能である。
どのような品質の受信音声までスピーカもしくはレシーバから出力するかは、無線機の使用者の好みで設定可能である。
【００３３】
ボリュームスイッチ３６はアナログ無線機と同様な操作方法となるため設けたが、ボリュームスイッチ以外のスイッチ（アップダウンスイッチ等）も使用可能である。
【図面の簡単な説明】
【００３４】
【図１】本発明の実施の形態である無線機の構成を示すブロック図である。
【図２】従来のデジタル方式無線機の構成を示すブロック図である。
【図３】従来のデジタル方式無線機の他の構成を示すブロック図である。
【図４】従来例のアナログ方式無線機の構成を示すブロック図である。
【符号の説明】
【００３５】
１：無線機全体の制御部、２：操作部、３：レシーバ、４：マイク、５：マイクアンプ、６：レシーバアンプ、７：ＰＴＴスイッチ、８：表示器、９：ＡＤ変換部、１０：ＤＡ変換部、１１：音声符号化部、１２：訂正符号化部、１３：音声復号化部、１４：誤り訂正復号化部、１５：チャネル符号化部、１６：チャネル復号化部、１７：変調部、１８：復調部、１９：送受信部、２０：受信音声ミュートスイッチ、２１：誤り訂正符号化部（ＢＥＲによるＯＮ/ＯＦＦ機能付き）、２２：スイッチ２０のＯＮ/ＯＦＦ信号、２３：誤り訂正符号化部（ＢＥＲデータ出力機能付き）、２４：誤り訂正符号化部２３から出力するＢＥＲデータ、２５：制御部１からのスイッチ２０ＯＮ/ＯＦＦ信号、３０：送信音声処理部、３１：受信音声処理部、３２：ノイズスケルチ回路、３３：無線機の制御部（ＭＰＵ）、３４：ノイズスケルチ回路３２の出力信号、３５：ノイズスケルチ回路３２の検出するノイズレベルのしきい値を設定するスケルチボリューム、３６：受信音声をミュートするＢＥＲのしきい値を設定するボリュームスイッチ。 
【図１】
2006100891.tif 000004
【図２】
2006100891.tif 000005
【図３】
2006100891.tif 000006
【図４】
2006100891.tif 000007